(57)【特許請求の範囲】
【請求項１】
往復駆動される叩き玉によって叩きマッサージを行うマッサージ機において、叩き玉に着脱自在に装着されるアタッチメントを具備するとともに、可撓性材にて形成された該アタッチメントは、その頂部内面と叩き玉先端面との間に空気層を有して該空気層の厚みはアタッチメントの撓み量より小さくなっていることを特徴とするマッサージ機。
【請求項２】
アタッチメントは、その周部に環状リブ壁を有していることを特徴とする請求項１記載のマッサージ機。
【請求項３】
往復駆動される叩き玉によって叩きマッサージを行うマッサージ機において、叩き玉に着脱自在に装着されるアタッチメントを具備するとともに、可撓性材にて形成された該アタッチメントは、その頂部内面と叩き玉先端面との間に空気層を有する蛇腹状のものとして形成されていることを特徴とするマッサージ機。
【請求項４】
往復駆動される叩き玉によって叩きマッサージを行うマッサージ機において、叩き玉に着脱自在に装着されるアタッチメントを具備するとともに、可撓性材にて形成された該アタッチメントは、その頂部内面と叩き玉先端面との間に空気層を有してほぼ密閉された袋状のものとして形成されていることを特徴とするマッサージ機。
【発明の詳細な説明】
【０００１】
【産業上の利用分野】
本発明は叩きマッサージを行うマッサージ機に関するものである。
【０００２】
【従来の技術】
ソレノイドなどを動力として往復駆動されるプランジャーの先端に叩き玉を装着し、この叩き玉を患部に当接させて上記動力を作動させることで叩きマッサージを行うマッサージ機がある。この種のマッサージ機において、上記叩き玉へのアタッチメントの装着で患部への当接面積を可変として、異なるマッサージ感を得られるようにしたものが特開平５−７６１５２号公報に示されている。
【０００３】
【発明が解決しようとする課題】
しかし、上記従来例においては、叩き玉単独とアタッチメント装着時とで強弱のマッサージ感を切り換えられるとはいえ、叩き玉とアタッチメントとは基本的に同質の材料及び同じ硬さであり、アタッチメントの装着で患部への当接面積を大きくした時にも十分なソ
フト感を得られるものではなかった。
【０００４】
本発明はこのような点に鑑み為されたものであり、その目的とするところはアタッチメント装着時にきわめて高いソフト感を得ることができるマッサージ機を提供するにある。
【０００５】
【課題を解決するための手段】
しかして本発明は、往復駆動される叩き玉によって叩きマッサージを行うマッサージ機において、叩き玉に着脱自在に装着されるアタッチメントを具備するとともに、可撓性材にて形成された該アタッチメントは、その頂部内面と叩き玉先端面との間に空気層を有して該空気層の厚みはアタッチメントの撓み量より小さくなっていることに第１の特徴を有している。アタッチメントの周部に環状リブ壁を設けておくことも好ましい。
【０００６】
また本発明は、アタッチメントがその頂部内面と叩き玉先端面との間に空気層を有して蛇腹状のものとして形成されていることに第２の特徴を有しており、更にその頂部内面と叩き玉先端面との間に空気層を有してほぼ密閉された袋状のものとして形成されていることに第３の特徴を有している。
【０００７】
【作用】
本発明によれば、アタッチメントの頂部内面と叩き玉先端面との間の空気層のために、きわめてソフトなマッサージ感を得ることができる上に、上記空気層の厚みをアタッチメントの撓み量より小さくしているために、一度でマッサージ感の異なる叩きが連続して得られるものとなる。そしてアタッチメントの周部に環状リブ壁を設けていると、アタッチメントの周部においてもソフトなマッサージを得ることができる。
【０００８】
また、第２の特徴とするところによれば、アタッチメントがその頂部内面と叩き玉先端面との間に空気層を有する蛇腹状であるために、ソフトで芯のあるマッサージ感を得ることができ、第３の特徴とするところによれば、その頂部内面と叩き玉先端面との間に空気層を有してほぼ密閉された袋状のものであるためにやはりソフトなマッサージ感を得ることができる。
【０００９】
【実施例】
以下本発明を図示の実施例に基づいて詳述すると、このマッサージ機は、ソレノイド２０を内蔵したヘッド部２と把手部１の一端とを弾性を有する連結ばね３で連結したもので、把手部１内には上記ソレノイド２０の駆動回路が収められているとともにスイッチ１１が設けられている。またヘッド部２のソレノイド２０におけるプランジャー２１の先端には叩き玉４が取り付けられている。この叩き玉４は、半球状に形成されているとともに、先端部にポイントマッサージ用の突部４０を備えたもので、人体の患部に当接させた状態で上記ソレノイド２０に周期的通電を行えば、ソレノイド２０における電磁吸引力とプランジャー２１を付勢するばねとによって、叩き玉４はヘッド部２から周期的に出没し、人体患部に叩きマッサージを付与する。
【００１０】
ここにおいて、上記叩き玉４には可撓性を有するアタッチメント５が着脱自在とされている。このアタッチメント５は、小さい開口部を有する袋型のもので、叩き玉４への装着はその開口部内に上記突部４０を差し込むことによって行われる。そして、このアタッチメント５は、叩き玉４に装着された時、その先端部内面と突部４０先端との間に空気層を形成することになる空間部を有するものとなっている。
【００１１】
アタッチメント５を患部に当接させて上記マッサージ動作を行わせる時、患部への当接面積が大きくなっているだけでなく、上記空間部における空気層がアタッチメント５の弾性を増すものとなっており、きわめてソフトなマッサージ感を使用者に与えるものである。
【００１２】
しかも図３に示すように、アタッチメント５は、その先端頂部５０を囲む周部に多重の環状リブ壁５１，５１を有するものとなっているとともに、その頂部５０を患部に当接させて叩き力を作用させた時、叩き玉４の頂部５０が図に示すように撓むが、この時、突部４０が内面に当たるようにしている。つまりは、頂部５０の過剰な撓みを突部４０で規制している。この場合、撓みが規制された後は突部４０の硬さがアタッチメント５及び弾性材６を介して人体に伝わるために、マッサージ手法でいう「袋打ち」の感を呈する２段階叩きのマッサージ感を得られるものである。
【００１３】
またアタッチメント５の上記環状リブ壁５１，５１の背後に位置する部分に設けた凹所５２は、スリット５３を通じて外部に通じており、叩きの際のアタッチメント５の撓みによる上記凹所５２の容積変動でスリット５３を通じて凹所５２に空気が出入りする時、「袋打ち」の場合と同様の発音がなされる。
【００１４】
さらに上記多重の環状リブ壁５１，５１は、溝５４を介して径方向に並んでいる撓みやすいものとなっているために、この環状リブ壁５１が身体に当接している状態で叩きマッサージを行っても、環状リブ壁５１の撓みによって、環状リブ壁５１の当接部に対してソフトな叩きマッサージを行うことができる。この場合、多重の環状リブ壁５１，５１の頂部とアタッチメント５の頂部とを結ぶ線が円弧をなすものとしておくと、患部への当接感が良好となる。
【００１５】
図４に示す実施例は、アタッチメント５を蛇腹状に形成したもので、この場合も力が加わった時、当初は撓みやすいものの、蛇腹同士が接触した後は撓みにくくなるために、やはり袋打ちの感を呈するものとなる。
【００１６】
図５に示すアタッチメント５は、形状的には図１に示すものと同じであるが、密閉された袋状としている点で相違する。なお、完全に密閉されていないもの、たとえば小さな孔で内部空間が外部と連通しているものであってもよい。
【００１７】
【発明の効果】
以上のように本発明においては、アタッチメントの頂部内面と叩き玉先端面との間の空気層のために、きわめてソフトなマッサージ感を得ることができるものであり、アタッチメント装着時と非装着時とで全く異なった感のマッサージを得ることができる。しかもアタッチメントと叩き玉との間の空気層の厚みをアタッチメントの撓み量より小さくしているために、マッサージ手法で言うところの「袋打ち」の感を呈するマッサージ、つまり一度でマッサージ感の異なる叩きが連続して得られるものとなって、良好なマッサージ効果を得ることができる。
【００１８】
またアタッチメントの周部に環状リブ壁を設けておけば、アタッチメントの周部においてもソフトなマッサージを得ることができ、患部へのアタッチメントの当て方を問わずにマッサージ効果を得ることができる。
【００１９】
さらにアタッチメントは蛇腹状であってもソフトで芯のあるマッサージ感を得ることができ、ほぼ密閉された袋状のものであってもやはりソフトなマッサージ感を得ることができる。
【図面の簡単な説明】
【図１】本発明一実施例の断面図である。
【図２】同上の斜視図である。
【図３】同上の拡大断面図である。
【図４】他の実施例の断面図である。
【図５】別の実施例の断面図である。
【符号の説明】
４  叩き玉
５  アタッチメント
【図１】
0003584547.tif 000002
【図２】
0003584547.tif 000003
【図３】
0003584547.tif 000004
【図４】
0003584547.tif 000005
【図５】
0003584547.tif 000006